(57)【要約】【課題】椅子と地面との傾斜角度を調整することができる調整機構及び傾角調整可能な椅子に関する。【解決手段】本発明は、調整機構及び傾角調整可能な椅子を提供する。該椅子は、接続部、フレーム、少なくとも一つの調整機構及び支持部を含み、その内、該フレームが該接続部に連結され、該調整機構が調整可能な椅子の傾角を調整するために用いられ、該調整機構が該フレーム及び接続部に連結され、また該支持部が該接続部に連結し、支持部が接続部に支持するために用いられる。【選択図】図２Ｂ
2011087902.tif 000002
【特許請求の範囲】
【請求項１】
椅子の着席面の傾斜角度を調整するための椅子の傾斜角度調整機構であって、
一端が前記椅子に接続され、かつ放置孔を備えた接続管と、
一端が前記接続管に挿入され、かつ他端が前記椅子に接続され、複数の定位孔を備えて各定位孔がそれぞれ前記放置孔に対応する支持棒と、
前記支持棒の前記接続管にある位置を固定するため、前記放置孔、及び該放置孔に対応する前記定位孔内に設置される定位部材と、
前記接続管及び該支持棒を回転自在に周設し、かつ凹溝を備え、該凹溝は前記放置孔に対応する時、前記定位部材が該放置孔に対応する該定位孔から離れることになる調整子と、
を含むことを特徴とする傾斜角度調整機構。
【請求項２】
さらに、弾性部材を備え、該弾性部材の一端は、前記接続管の一端に連結され、他端が前記調整子に連結されることを特徴とする請求項１に記載の傾斜角度調整機構。
【請求項３】
前記凹溝は、傾斜面を含み、該傾斜面が調整子の回転に従って前記定位部材を変位させることを特徴とする請求項１に記載の傾斜角度調整機構。
【請求項４】
前記定位部材は、球体で、かつ該球体が異なる定位孔に設置されることによって、該支持棒の接続管にある位置を変更させることを特徴とする請求項１に記載の傾斜角度調整機構。
【請求項５】
前記調整機構は、さらに固定部材を含み、該固定部材が前記接続管の複数の第１の穿孔、前記調整子の複数の第２の穿孔及び前記支持棒の通溝に挿入されることによって該接続管、該調整子及び該支持棒を連結し、各第１の穿孔が互いに対向して前記接続管の管壁に設置され、前記調整子が中空管体を備えて各前記の第２の穿孔が互いに対向して該管体の管壁上に設置されることを特徴とする請求項１に記載の調整機構。
【請求項６】
前記調整子は、つまみを備え、かつ該調整子が前記接続管に対して回転可能であることを特徴とする請求項１に記載の調整機構。
【請求項７】
前記第１の穿孔の大きさは、第２の穿孔の大きさより実質的に大きいことを特徴とする請求項１に記載の調整機構。
【請求項８】
接続部と、
前記接続部を連結するフレームと、
前記接続部を連結し、該接続部の支持に用いられる支持部と、
少なくとも一つの、調整可能な椅子の傾角を調整するために用いられ前記フレームと前記接続部とを連結する調整機構と、
を含み、
前記調整機構は、一端が前記フレームに接続し、放置孔が含まれた接続管と、
一端が前記接続管に挿入され、他端が前記接続部を接続し、さらに複数の定位孔が含まれ、各定位孔がそれぞれ前記放置孔に対応可能な支持棒と、
前記放置孔に設置されると共に、該放置孔の定位孔内に対応して前記支持棒を接続管にあるべく位置に固定させる定位部材と、
前記接続管及び前記支持棒に周設し、かつ凹溝が含まれ、該凹溝が前記放置孔に対応する場合、前記定位部材が該放置孔に対応する定位孔から離れて椅子の傾角の調整可能な調整子と、
を含むことを特徴とする傾角調整可能な椅子。
【請求項９】
さらに弾性部材を備え、該弾性部材の一端が前記接続管の一端に連結され、他端が前記調整子に連結されることを特徴とする請求項８に記載の傾角調整可能な椅子。
【請求項１０】
前記凹溝は、傾斜面を含み、該傾斜面が調整子の回転に従って前記定位部材を変位させることを特徴とする請求項８に記載の傾角調整可能な椅子。
【請求項１１】
前記定位部材は、球体で、該球体を異なる前記定位孔に設置することによって、前記支持棒の接続管にある位置を変更できることを特徴とする請求項８に記載の傾角調整可能な椅子。
【請求項１２】
前記調整機構は、さらに固定部材を含み、該固定部材が前記接続管の複数の第１の穿孔、前記調整子の複数の第２の穿孔及び前記支持棒の通溝に挿入されることによって、該接続管、該調整子及び該支持棒を連結させ、その内、各第１の穿孔が互いに対向して前記接続管の管壁に設置され、前記調整子は、中空管体を備えて各前記の第２の穿孔が互いに対向して該管体の管壁上に設置されることを特徴とする請求項８に記載の傾角調整可能な椅子。
【請求項１３】
前記調整子は、つまみを備え、かつ該調整子が前記接続管に対して回転可能であることを特徴とする請求項８に記載の傾角調整可能な椅子。
【請求項１４】
前記第１の穿孔の大きさは、前記第２の穿孔の大きさより実質的に大きいことを特徴とする請求項８に記載の傾角調整可能な椅子。
【請求項１５】
前記調整可能な範囲は、実質的に３５度乃至５５度の範囲にあることを特徴とする請求項８に記載の傾角調整可能な椅子。
【発明の詳細な説明】
【技術分野】
【０００１】
本発明は、調整機構及び傾角調整可能な椅子に関し、特に調整機構により傾斜角度を調整する傾角調整可能な椅子に関する。
【背景技術】
【０００２】
特許文献１には、調整装置を利用して傾斜角度を調整する揺り籠が掲載されている。該調整装置は、複数の凹溝が含まれ、棒を移動して、棒の各凹溝における位置を調整することで、傾斜角度を変化させる目的を達成する。しかし、この構造は複雑で、かつ調整装置の大きさに制限されるので、傾斜角度の調整可能な範囲が小さくなる。
【０００３】
特許文献２は、ベビー用支持部が掲載され、保育器中においてベビー用支持部の最も良い角度を調整することができる。それは、つまみを利用して隙間に移動させベビー用支持部の傾斜角度を調整するとともに、堅く締め付けることができる。しかし、つまみを利用する方式では、両側のつまみを同時に調整する必要があり、両側のつまみを同一位置に調整する必要があるため、角度を制御する際に便利とは言えない。
【０００４】
そのため、調整機構及び傾角調整可能な椅子を提供して前記の欠点を改善する必要がある。
【先行技術文献】
【特許文献】
【０００５】
【特許文献１】国際公開第2008004959号パンフレット
【特許文献２】英国特許出願公開第2380663号明細書
【発明の概要】
【発明が解決しようとする課題】
【０００６】
前記のように、本発明は、主に調整機構を提供して、伸縮接続管及び支持棒により調整機構の長さを変化させることを目的とする。
【０００７】
本発明は、主に傾斜角度を調整可能な椅子を提供し、椅子と地面との傾斜角度を調整することができることを他の目的とする。
【課題を解決するための手段】
【０００８】
前記の目的を達成するために、本発明は、椅子の座面の傾斜角度の調整に用いられる椅子の傾斜角度調整機構を提供する。一端が前記椅子に接続され、かつ放置孔を備えた接続管と、一端が該接続管に接続され、かつ他端が該椅子に接続され、複数の定位孔を備えて、その内の各定位孔が、それぞれ該放置孔に対応する支持棒と、定位部材が前記放置孔に設置されるとともに、該放置孔の定位孔に対応して該支持棒を前記接続管中の位置に固定する定位部材と、前記接続管及び該支持棒を回転可能に周設し、かつ凹溝を備えて該凹溝が前記放置孔に対応する時、前記定位部材が前記該放置孔に対応する定位孔を離れることになる調整子とが含まれる。
【０００９】
より好ましいのは、本発明の調整機構において、該調整機構は、さらに弾性部材を備え、該弾性部材の一端が前記接続管の一端に連結され、該弾性部材の他端が該調整子に連結されることを特徴とする。
【００１０】
より好ましいのは、本願の調整機構において、前記凹溝が傾斜面を備え、該傾斜面が調整子の回転に従って前記定位部材を変位させることを特徴とする。
【００１１】
より好ましいのは、本発明の調整機構において、該定位部材が球体で、該球体が異なる定位孔に設置されることによって該支持棒の接続管にある位置を変位させることを特徴とする。
【００１２】
より好ましいのは、該調整機構において、さらに固定部材が含まれ、該固定部材が前記接続管の複数の第１の穿孔、該調整子の複数の第２の穿孔及び該支持棒の通溝に挿入され、前記接続管、前記調整子及び前記支持棒を連結する調整機構であって、各前記第１の穿孔は互いに該接続管の管壁に接続され、該調整子は中空管体を備え、各第２の穿孔が対向して該管体の管壁上に設置されることを特徴とする。
【００１３】
より好ましいのは、本発明の調整機構において、該調整子はつまみであって、引張部を含み、また該調整子は該接続管に対して回転可能であることを特徴とする。
【００１４】
より好ましいのは、本発明の調整機構において、該第１の穿孔の大きさが第２の穿孔の大きさより実質的に大きいことを特徴とする。
【００１５】
他に、本発明は傾角調整可能な椅子を提供し、接続部と、該接続部を連結し該接続部を支持するためのフレームと、少なくとも一つの調整可能な椅子の傾角を調整するために用いられ該フレームと該接続部を連結する調整機構と、を含み、該調整機構は、一端が該フレームに接続され、さらに放置孔を備えた接続管と、一端が該接続管に挿入され、他端が該接続部と接続し、さらに複数の定位孔が含まれ、各定位孔がそれぞれ該放置孔に対応する支持棒と、該放置孔に位置し該放置孔の該定位孔内に対応して、該支持棒を接続管にあるべき位置に固定させる定位部材と、該接続管及び該支持棒に周設し、かつ凹溝を含み、該凹溝が該放置孔に対応する時、該定位部材が該放置孔に対応する定位孔から離れて該椅子の傾角を調整する調整子と、を含む。
【００１６】
より好ましいのは、本発明の傾角調整可能な椅子において、該調整機構は、さらに弾性部材を含み、該弾性部材の一端が該接続管の一端に連結され、他端が該調整子まで連結することを特徴とする。
【００１７】
より好ましいのは、本発明の傾角調整可能な椅子において、該定位部材は、球体で、該球体を異なる定位孔に設置することによって、該支持棒の接続管にある位置を変更させることができることを特徴とする。
【００１８】
より好ましいのは、本発明の傾角調整可能な椅子において、該調整機構は、さらに固定部材を含み、該固定部材は接続管、調整子及び支持棒を連結するために、該接続管の複数の第１の穿孔、該調整子の複数の第２の穿孔及び該支持棒の通溝に挿入される。その内、各該第１の穿孔は互いに対向して該接続管の管壁に設置され、該調整子は、中空管体を有し、各第２の穿孔は互いに対向して該管体の管壁に設置されることを特徴とする。
【００１９】
より好ましいのは、本発明の傾角調整可能な椅子において、該調整子はつまみで、引張部を備え、また該調整子が該接続管に対して回転可能であることを特徴とする。
【００２０】
より好ましいのは、本発明の傾角調整可能な椅子において、該調整機構は、該第１の穿孔が第２の穿孔より実質的に大きいことを特徴とする。
【００２１】
より好ましいのは、本発明の傾角調整可能な椅子において、該調整可能な範囲は、実質的に３５度乃至５５度の範囲にあることを特徴とする。
【００２２】
以下、より好ましい実施例及びそれに関連する図により本発明の傾角調整可能な椅子２について詳しく説明する。
【図面の簡単な説明】
【００２３】
【図１Ａ】本発明の傾角調整可能な椅子２の見取図である。
【図１Ｂ】本発明の傾角調整可能な椅子２の見取図である。
【図２Ａ】本発明の傾角調整可能な椅子２の調整機構２３の立体図である。
【図２Ｂ】本発明の傾角調整可能な椅子２の調整機構２３の分解図である。
【図３Ａ】本発明の傾角調整可能な椅子２が第２の角度状態に位置する調整機構２３の断面図である。
【図３Ｂ】本発明の傾角調整可能な椅子２が第２の角度状態に位置する調整機構２３の断面図である。
【図４Ａ】本発明の傾角調整可能な椅子２が第１の角度状態に位置する調整機構２３の断面図である。
【図４Ｂ】本発明の傾角調整可能な椅子２が第１の角度状態に位置する調整機構２３の断面図である。
【発明を実施するための形態】
【００２４】
本発明は、前述並びにその他の技術内容、利点及び効果について、参考図面に合わせてより好ましい実施例について詳しい説明することにより、一層理解し得るものである。
【００２５】
構造部分
以下、図１Ａ乃至図４Ｂを合わせて参照し、本発明に係る傾角調整可能な椅子２の一の実施例を説明する。本発明の傾角調整可能な椅子２は、椅子２と地面との間の傾斜角度を調整することができる。本発明の一の実施例において、傾角調整可能な椅子２は、第１の角度傾斜状態（図１Ａに示す）及び第２の角度傾斜状態（図１Ｂに示す）を含む。したがって、使用者が必要な状況に応じて適切な傾斜角度を選んで快適に傾角調整可能な椅子２に着席することができる。
【００２６】
図１Ａまたは図１Ｂに示すように、傾角調整可能な椅子２は、接続部２１、フレーム２２、二つの調整機構２３及び支持部２４を含む。
【００２７】
フレーム２２は接続部２１に接続される。調整機構２３は傾角調整可能な椅子２の傾斜角度αの調整に用いられ、調整機構２３がフレーム２２及び接続部２１に連結される。本発明の一つの実施例では、二つの調整機構２３はそれぞれ傾角調整可能な椅子２の両側に設置される。
【００２８】
次に、図２Ａ及び図２Ｂを参照する。図２Ａ、図２Ｂは、それぞれ本発明の調整機構２３の一の実施例の立体図及び分解図を示す。調整機構２３は、接続管２３１、弾性部材２３２、支持棒２３３、定位部材２３４、調整子（本発明の一つの実施例は、つまみ２３５である）及び固定部材２３６が含まれる。接続管２３１の上端は、フレーム２２に接続され、接続管２３１は接続管２３１の表面に設置された二つの第１の穿孔２３１１及び放置孔２３１２を含み、各第１の穿孔２３１１は互いに対向している。弾性部材２３２の一端は接続管２３１の一端に接続する。本発明の一の実施例において、弾性部材２３２は、ねじりばねであるが、本発明は、これに限らず、弾性または回復力を有するものであれば、本発明の弾性部材２３２とすることができる。
【００２９】
支持棒２３３の一端が弾性部材２３２及び接続管２３１に挿入されるとともに、他端で接続部２１と接続する。支持棒２３３は、その表面に設置された二つの定位孔２３３１、２３３２及び通溝２３３３を含み、その内の定位孔２３３１、２３３２は、接続管２３１の放置孔２３１２に対応する側面上に位置される。図１Ａ及び図３Ａを同時に参照すれば、固定部材２３６は、椅子２の左右の水平方向において接続管２３１、支持棒２３３及びつまみ２３５の三つを貫通しており、定位孔２３３１、２３３２及び放置孔２３１２は上下方向の高さが異なる。本発明の一の実施例において、定位孔２３３１、２３３２は、同一直線上に設置され、かつ放置孔２３１２と対応する。しかし、注意すべきなのは、定位孔の数が二つに限らず、三つまたはその以上のものも可能である。本発明の一の実施例には、支持棒２３３の外径が接続管２３１の内径より実質的に小さくなっているので、支持棒２３３は、接続管２３１に挿入することができる。
【００３０】
定位部材２３４は、放置孔２３１２及び定位孔２３３１または定位孔２３３２のいずれかに設置され、該定位部材２３４を定位孔２３３１または定位孔２３３２に定位させることで、支持棒２３３の接続管２３１にある位置を変えられる。本発明の一の実施例では、定位部材２３４が鋼球であるが本発明は、それに限らない。定位部材２３４は、異なる定位孔（例えば、２３３１、２３３２）に定位することによって、支持棒２３３の接続管２３１にある位置を変えるとともに、傾角調整可能な椅子２の傾斜角度を調整することができるので、定位孔の数が多ければ、傾角調整な椅子２の傾斜角度をより多く選択することができる。
【００３１】
つまみ２３５は、中空管体を備え、該管体を接続管２３１及び支持棒２３３に周設することによって、つまみ２３５が弾性部材２３２の他端に連結され、該つまみ２３５は、定位部材２３４を定位孔２３３１または定位孔２３３２に移動させるために用いられ、また該つまみ２３５の管体に凹溝２３５１及び二つの第２の穿孔２３５２が含まれ、各第２の穿孔２３５２はつまみ２３５に互いに対向するように設置される。本発明の一つの実施例では、凹溝２３５１は傾斜面２３５３を含む（図３Ａまたは図４Ａを参照）。
【００３２】
図２Ａ〜図２Ｂに示すように、本発明の実施例において、定位部材２３４は接続管２３１を介して放置孔２３１２に入れられ、支持棒２３３の定位孔２３３１または定位孔２３３２のいずれかに対応することになる。より詳細に説明すれば、定位部材２３４は、同時に放置孔２３１２及び定位孔２３３１または定位孔２３３２のいずれかの内に位置して椅子２の傾斜角度αを固定する。本発明の一の実施例では、各第１の穿孔２３１１の大きさは、実質的に各第２の穿孔２３５２の大きさより大きくなっている。
【００３３】
固定部材２３６は、各第１の穿孔２３１１、各第２の穿孔２３５２及び通溝２３３３に挿入され、該固定部材２３６が接続管２３１、つまみ２３５及び支持棒２３３を連結するために用いられるものである。本発明の一つの実施例は、固定部材２３６がリベットであるが、本発明はこれに限らない。
【００３４】
操作方式
次に、調整機構２３を利用して傾角調整可能な椅子２の傾斜角度を調整する方法について説明する。図１Ａ及び図３Ａに示すように、傾角調整可能な椅子２は、第１の角度状態に位置し、定位部材２３４は、放置孔２３１２及び定位孔２３３１にある。本発明の一つの実施例において、第１の角度状態の角度αは、略３９度となっている。
【００３５】
使用者は、傾角調整可能な椅子２を調整しようとする時、両側のつまみ２３５の引張部２３５４を操作して、それぞれフレーム２２の中心へ回転させる（この時弾性部材２３２が回転引っ張りにより回復力を有する（図２Ａ−図２Ｂを合わせて参照））。この時、つまみ２３５の凹溝２３５１は、放置孔２３１２に一致することができ、定位部材２３４は、重力作用により、また球体の回転効果により、凹溝２３５１（図３Bに示す）に入る。さらに接続管２３１と支持棒２３３との相対位置を移動して定位孔２３３２と放置孔２３１２とを一致させる（図４Ａに示す）。つまみ２３５に施す外力が開放された後、該つまみ２３５は、弾性部材２３２の回復力を受け、元の位置に戻る（図４Ｂに示す）ことで、定位部材２３４は傾斜面２３５３に沿って押されながら放置孔２３１２及び定位孔２３３２に戻り、傾斜角度の調整を完了し、第２の角度状態に達することが可能である（図１Ｂに示す）。
【００３６】
本発明の一つの実施例に、第２の角度状態の角度αは、略４９度をなしている。しかし、注意すべきなのは、本発明の第１の角度状態及び第２の角度状態は、３９度及び４９度に限らず、異なる定位孔の位置に合わせれば異なる傾斜角度を達成し得るものである。より好ましい実施例においては、傾角調整可能な範囲が３５度乃至５５度の間とすることも可能である。
【００３７】
しかし、以上の説明は単なる本発明のより好ましい実施例にすぎず、これによって本願の実施の範囲を限るものではなく、おおよそ本発明の技術的範囲及び本発明の明細書の内容により成された簡単な変更、または改修によるものはいずれも本発明の特許範囲内に含まれるべきである。
【符号の説明】
【００３８】
２  椅子
２１  接続部
２２  フレーム
２３  調整機構
２４  支持部
２３１  接続管
２３２  弾性部材
２３３  支持棒
２３４  定位部材
２３５  つまみ
２３６  固定部材
２３１１  第１の穿孔
２３１２  放置孔
２３３１  定位孔
２３３２  定位孔
２３３３  通溝
２３５１  凹溝
２３５２  第２の穿孔
２３５３  傾斜面
２３５４  引張部
【図１Ａ】
2011087902.tif 000003
【図１Ｂ】
2011087902.tif 000004
【図２Ａ】
2011087902.tif 000005
【図２Ｂ】
2011087902.tif 000006
【図３Ａ】
2011087902.tif 000007
【図３Ｂ】
2011087902.tif 000008
【図４Ａ】
2011087902.tif 000009
【図４Ｂ】
2011087902.tif 000010